(57)【要約】      （修正有）【課題】特性インピーダンスが乱れず、伝送特性に優れ、またDC〜110GHz迄の広帯域に使用可能なアングル型フレキシブル高周波同軸ケーブルアセンブリを提供する。【解決手段】中心導体の外周に順次、絶縁体、金属箔螺旋巻き内側外部導体、編組外側外部導体、およびシースからなるフレキシブル高周波同軸ケーブル１０の先端部を加工し、金属製シェル１１を通して機械的・電気的に接続するための接続先端部を設け、この接続先端部を同軸コネクタ本体１８に挿入し、また同軸ケーブル１０の外周にクランプの役割も成す金属製円筒パイプ１２を被せ、該円筒パイプ１２を同軸コネクタ本体１８にねじ込み固着し、次いで円筒パイプ１２を同軸コネクタ本体１８近傍で所要の角度に曲げ加工を施してアングル部ｅを設け、円筒パイプ１２と共に内部の同軸ケーブル１０を湾曲させてアングル型フレキシブル高周波同軸ケーブルアセンブリ２０とする。【選択図】図４
2006228538.tif 000002
【特許請求の範囲】
【請求項１】
中心導体の外周に順次、絶縁体、金属箔の螺旋巻きにより形成した内側の外部導体、編組により形成した外側の外部導体、好ましくは前記内側外部導体と外側外部導体の間に介在させた緩衝用の樹脂テープ、およびシースからなるフレキシブル高周波同軸ケーブルの先端部を加工し、金属製シェルを通して機械的・電気的に接続するための接続先端部を設け、この接続先端部を同軸コネクタ本体に挿入し、接続した構造からなるフレキシブル高周波同軸ケーブルアセンブリであって、
前記高周波同軸ケーブルの接続先端部は、シースが剥離されて露出した外側外部導体と、この外側外部導体下の内側外部導体と、好ましくは前記内側外部導体と外側外部導体の間に介在させた緩衝用の樹脂テープとが錫コート（鉛フリー半田）または半田コート（鉛入り半田）により一体化されて一体化外部導体となった接続先端部とし、該接続先端部の先端要部は中心導体、絶縁体及び一体化外部導体がそれぞれ、もしくは絶縁体と一体化外部導体を面一として順次露出するよう段差加工され、また一体化外部導体の外周表面は螺旋状凹凸加工が施されて段差・螺旋状凹凸加工接続先端部とされ、また螺旋状凹凸加工外周表面の要部のみに接着剤が塗布され、先端部が内側に向かって延設されたフランジを有し且つ内面に螺旋状凹凸加工が施された金属製シェルの該フランジ内壁に、前記段差・螺旋状凹凸加工接続先端部の一体化外部導体の先端面が突き当たり圧着されるまで回転挿入され、フランジ内壁と先端面の突き当たり圧着部を電気的接続部とし、前記塗布された接着剤が硬化され、前記段差・螺旋状凹凸加工接続先端部および金属製シェルが機械的に固着され、電気的に接続されたケーブル装着シェル体とし、該ケーブル装着シェル体は同軸コネクタ本体に装着され、また前記フレキシブル高周波同軸ケーブルの外周には、任意長さでクランプの役割も成す金属製円筒パイプが被せられ、該金属製円筒パイプは同軸コネクタ本体にねじ込み固着され、更に金属製円筒パイプは同軸コネクタ本体近傍で所要角度（アングル）に曲げ加工が施されてアングル部が設けられ、金属製円筒パイプと共に内部のフレキシブル高周波同軸ケーブルが湾曲されていることを特長とするアングル型フレキシブル高周波同軸ケーブルアセンブリ。
【請求項２】
中心導体の外周に順次、絶縁体、金属箔の螺旋巻きにより形成した内側の外部導体、編組により形成した外側の外部導体、好ましくは前記内側外部導体と外側外部導体の間に介在させた緩衝用の樹脂テープ、およびシースからなるフレキシブル高周波同軸ケーブルの先端部を加工し、金属製シェルを通して機械的・電気的に接続するための接続先端部を設け、この接続先端部を同軸コネクタ本体に挿入し、接続した構造からなるフレキシブル高周波同軸ケーブルアセンブリであって、
前記高周波同軸ケーブルの接続先端部は、シースが剥離されて露出した外側外部導体と、この外側外部導体下の内側外部導体と、好ましくは前記内側外部導体と外側外部導体の間に介在させた緩衝用の樹脂テープとが錫コート（鉛フリー半田）または半田コート（鉛入り半田）により一体化されて一体化外部導体となった接続先端部とし、該接続先端部の先端要部は中心導体、絶縁体及び一体化外部導体がそれぞれ、もしくは絶縁体と一体化外部導体を面一として順次露出するよう段差加工され、また一体化外部導体の外周表面は未加工のままで段差加工接続先端部とし、また末加工の一体化外部導体の外周表面のみに接着剤が塗布され、先端部が内側に向かって延設されたフランジを有し且つ内面に突起を備え、好ましくはフランジに向かって先細りとなるテーパー付きの穴を有する金属製シェルを用い、フランジ内壁に前記段差加工接続先端部の一体化外部導体の先端面が突き当たるまで圧入され、フランジ内壁と先端面の突き当たり圧着部を電気的接続部とし、前記塗布された接着剤が硬化され、前記段差加工接続先端部および金属製シェルが機械的に固着され、電気的に接続されたケーブル装着シェル体とし、同軸コネクタ本体に装着され、また前記フレキシブル高周波同軸ケーブルの外周には、任意長さでクランプの役割も成す金属製円筒パイプが被せられ、該金属製円筒パイプは同軸コネクタ本体にねじ込み固着され、更に金属製円筒パイプは同軸コネクタ本体近傍で所要角度（アングル）に曲げ加工が施されてアングル部が設けられ、金属製円筒パイプと共に内部のフレキシブル高周波同軸ケーブルが湾曲されていることを特長とするアングル型フレキシブル高周波同軸ケーブルアセンブリ。
【請求項３】
前記金属製円筒パイプは、パイプ内径（b）＝シース外径（a）＋（０．１〜０．５）mm、パイプ厚さ（d）＝（パイプ外径（c）‐パイプ内径（b））／２＝０．２〜１．５mmであることを特徴とする請求項１または２記載のアングル型フレキシブル高周波同軸ケーブルアセンブリ。
【請求項４】
前記同軸コネクタ本体が、プラグタイプの同軸コネクタ本体、ジャックタイプの同軸コネクタ本体、または中心コンタクト繋ぎ替えプラグタイプの同軸コネクタ本体であることを特徴とする請求項１、２または３記載のアングル型フレキシブル高周波同軸ケーブルアセンブリ。
【請求項５】
前記曲げ加工後の金属製円筒パイプの端部（同軸コネクタ本体接続端部と逆側）とフレキシブル高周波同軸ケーブルとの段差箇所には、１枚以上の熱収縮チューブが段階的に装着されていることを特徴とする請求項１、２、３または４記載のアングル型フレキシブル高周波同軸ケーブルアセンブリ。
【請求項６】
前記金属製円筒パイプが被せられていない部分のフレキシブル高周波同軸ケーブルには、ケーブルの全面ないし部分的にケーブルの最小曲げ径を規制できる金属製あるいは樹脂製のアーマー（保護外装）が装着されていることを特徴とする請求項１、２、３、４または５記載のアングル型フレキシブル高周波同軸ケーブルアセンブリ。
【請求項７】
前記請求項1、２、３、４、５または６いずれか１項記載のアングル型フレキシブル高周波同軸ケーブルアセンブリのフレキシブル高周波同軸ケーブルの他端には、任意の同軸コネクタが接続されていることを特徴とするアングル型フレキシブル高周波同軸ケーブルアセンブリ。
【請求項８】
前記請求項1、２、３、４、５または６いずれか１項記載のアングル型フレキシブル高周波同軸ケーブルアセンブリのフレキシブル高周波同軸ケーブルの他端には、前記請求項1、２、３、４、５または６いずれか１項記載の同軸ケーブルアセンブリが接続されるとともに、両アングル部は同方向または異方向に湾曲されていることを特徴とするアングル型フレキシブル高周波同軸ケーブルアセンブリ。
【発明の詳細な説明】
【技術分野】
【０００１】
本発明は、同軸ケーブルアセンブリに関し、更に詳しくはDC（直流）〜110GHz迄の広帯域に使用可能なアングル型フレキシブル高周波同軸ケーブルアセンブリに関するものである。
【背景技術】
【０００２】
光通信を含む情報通信機器類及び産業機器類の機内外配線材、機器リード線として用いられるケーブル類、例えばフレキシブル高周波同軸ケーブルは、これら機器類の性能及び機能の向上に伴って種々の特性が要求されている。また高周波伝送技術の進展と共に、同軸ケーブルと同軸コネクタを接続した構造の同軸ケーブルアセンブリの適用周波数は数GHzから数十GHzの帯域に及び、更に広帯域化しつつある。また上記フレキシブル高周波同軸ケーブルと同軸コネクタとを接続した構造のフレキシブル高周波同軸ケーブルアセンブリに於いても数十GHzの帯域に適合するものが求められている。また同軸コネクタとして、使用上の利便性からＬ型（アングル型）の同軸コネクタを使用し、このＬ型同軸コネクタと同軸ケーブルとを接続した構造のＬ型同軸ケーブルアセンブリも知られており、例えば下記特許文献１、２（図１４(a)、(b)参照）に開示されている。なお図１４は、従来例に係るＬ型同軸ケーブルアセンブリ（Ｌ型同軸コネクタ）を説明するための略図で、図１４(a)は特許文献１の発明のＬ型同軸コネクタの一実施例を示す半断面図、また図１４(b)は特許文献２の発明のＬ型同軸コネクタの構成を示す説明図である。
また、同軸ケーブルと同軸コネクタを接続する構造において、フレキシブル高周波同軸ケーブルの先端部を加工し、金属製シェルを通して機械的・電気的に接続するための接続先端部を設け、この接続先端部を同軸コネクタ本体に挿入するという接続構造としては、例えば下記特許文献３（図１５参照）に示すものが知られている。なお図１５は、従来例に係る同軸ケーブルとプラグタイプの同軸型コネクタとの接続構造（特許文献３の発明）を説明するための略図で、同図（ａ）は接続構造の縦断面図、同図（ｂ）は接続先端部を設けた同軸ケーブルの斜視図、また同図（ｃ）、（ｄ）は、それぞれシェルの側面図と平面図である。この図１５に示す接続構造は、同図（ｂ）に示すようにフレキシブル高周波同軸ケーブル２１の接続先端部を順次編組８、金属箔６、および中心導体１に段階的に剥離し、これを金属箔６と編組８とが個別に半田付け可能なＤカットされた半田付け溝２４を有するシェル１１（同図（ｃ）に側面図、（ｄ）に平面図を示す）に半田付けすることにより接続し、プラグタイプの同軸型コネクタ本体に装着（同図（ａ））した接続構造である。なお、前記半田付け溝２４は、ケーブルの金属箔６および編組８より成る外部導体の形状に沿うようテーパーを有する。
【特許文献１】特開平７−１４６４８
【特許文献２】特開２０００−５９５９６
【特許文献３】特開平７−１４６４５
【発明の開示】
【発明が解決しようとする課題】
【０００３】
上記特許文献１、２に示されている従来のＬ型同軸ケーブルアセンブリ（Ｌ型同軸コネクタ）については、例えば、特許文献１、２のコネクタとケーブルのアングル接続部は図１４(a)、(b)に矢印で示すように、電気的不連続面であり、特性インピーダンスが変動し、特性劣化を引き起こすという問題点があった。また特許文献１の図１４(a)では芯線27と接続端子29は半田付けされ、また特許文献２の図１４(b)では芯線21とコンタクトピン11はかしめられるが、半田接続、或は、かしめ接続は、電気的特性の再現性という観点で種々の問題点が存在した。
また特許文献３の図１５(a)に示す接続構造では、ケーブルの接続先端部を、同図(b)に示すように、順次編組８、金属箔６および中心導体１に段階的に剥離するのであるが、金属箔６巻き付け部を露出させると、金属箔の巻きが緩み加工性（シェルへのケーブル挿入）が悪化するという欠点を有していた（金属箔が螺旋巻きされているケーブルは巻き終わり側の端末が緩み、また金属箔が縦添えされているケーブルは両端末が緩む）。なお、金属箔６と編組８との間に緩衝用の樹脂層が介在されている場合（図示せず）は、この樹脂層を剥離することが困難である。また同図(c)に示すように、Ｄカットされた半田付け溝２４を有するシェル１１を用いても、半田の充填には熟練技術を要することは言うまでもない。
つまり、図１５に示す従来のフレキシブル高周波同軸ケーブルと同軸型コネクタとの接続構造は、半田接続がベースになっているが、この方式は電気的特性の再現性という観点で種々の問題点が存在した。
本発明は、上記従来技術が有する各種問題点を解決するためになされたものであり、従来のＬ型同軸ケーブルアセンブリに見られるＬ型同軸コネクタと同軸ケーブルとの物理的な接続部（電気的不連続面になる）や局部的なアングル部が無く、特性インピーダンスが乱れず、伝送特性（反射特性や挿入損失特性など）に優れ、またフレキシブル高周波同軸ケーブルと同軸型コネクタとの接続構造として、半田接続に起因する不具合点を解消し、またDC〜110GHz迄の広帯域に使用可能なアングル型フレキシブル高周波同軸ケーブルアセンブリを提供することを目的とする。
【課題を解決するための手段】
【０００４】
第１の観点として本発明は、中心導体の外周に順次、絶縁体、金属箔の螺旋巻きにより形成した内側の外部導体、編組により形成した外側の外部導体、好ましくは前記内側外部導体と外側外部導体の間に介在させた緩衝用の樹脂テープ、およびシースからなるフレキシブル高周波同軸ケーブルの先端部を加工し、金属製シェルを通して機械的・電気的に接続するための接続先端部を設け、この接続先端部を同軸コネクタ本体に挿入したフレキシブル高周波同軸ケーブルアセンブリであって、
前記高周波同軸ケーブルの接続先端部は、シースが剥離されて露出した外側外部導体と、この外側外部導体下の内側外部導体と、好ましくは前記内側外部導体と外側外部導体の間に介在させた緩衝用の樹脂テープとが錫コート（鉛フリー半田）または半田コート（鉛入り半田）により一体化されて一体化外部導体となった接続先端部とし、該接続先端部の先端要部は中心導体、絶縁体及び一体化外部導体がそれぞれ、もしくは絶縁体と一体化外部導体を面一として順次露出するよう段差加工され、また一体化外部導体の外周表面は螺旋状凹凸加工が施されて段差・螺旋状凹凸加工接続先端部とされ、また螺旋状凹凸加工外周表面の要部のみに接着剤が塗布され、先端部が内側に向かって延設されたフランジを有し且つ内面に螺旋状凹凸加工が施された金属製シェルの該フランジ内壁に、前記段差・螺旋状凹凸加工接続先端部の一体化外部導体の先端面が突き当たり圧着されるまで回転挿入され、フランジ内壁と先端面の突き当たり圧着部を電気的接続部とし、前記塗布された接着剤が硬化され、前記段差・螺旋状凹凸加工接続先端部および金属製シェルが機械的に固着され、電気的に接続されたケーブル装着シェル体とし、該ケーブル装着シェル体は同軸コネクタ本体に装着され、また前記フレキシブル高周波同軸ケーブルの外周には、任意長さでクランプの役割も成す金属製円筒パイプが被せられ、該金属製円筒パイプは同軸コネクタ本体にねじ込み固着され、更に金属製円筒パイプは同軸コネクタ本体近傍で所要角度（アングル）に曲げ加工が施されてアングル部が設けられ、金属製円筒パイプと共に内部のフレキシブル高周波同軸ケーブルを湾曲させていることを特長とするアングル型フレキシブル高周波同軸ケーブルアセンブリにある。
前記絶縁体としては、多孔質フッ素系樹脂が好ましく用いられる。また前記一体化外部導体の外周表面の螺旋状凹凸加工は、例えばGroove DiceによるSpiral Groove加工、すなわち、専用ねじ切りダイスを用いた粗雄ねじ加工を用いることができる。また前記接着剤は一体化外部導体の先端面（フランジの内壁に突き当てる面）には塗布しないものとする。また前記金属製円筒パイプの材質としては、各種金属が適用できるが、例えば銅、銅合金、或はアルミニウムが挙げられる。また前記金属製円筒パイプに曲げ加工を施す方法としては、通常のパイプベンダーでも可能であるが、出来るだけ同軸コネクタ本体近傍で曲げることが可能な、専用のパイプベンダーを使用するのが好ましい。また前記金属製円筒パイプの後方端の外側には溝状部を設けても良いし、円筒パイプの後方端の内側にはケーブルの最小曲げ径を考慮したテーパー部を設けても良い。
上記第１観点の同軸ケーブルアセンブリでは、前記アングル部はフレキシブル高周波同軸ケーブルに金属製円筒パイプを被せ、円筒パイプと共にケーブルを湾曲させており、従来のＬ型アセンブリに見られるＬ型コネクタとケーブルとの物理的な接続部（電気的不連続面）は無く特性インピーダンスが乱れない為、伝送特性（反射特性や挿入損失特性など）に優れている。またフレキシブル高周波同軸ケーブルを用いているので、同軸ケーブルアセンブリは取り回しが容易である。また同軸ケーブルサイズ、同軸コネクタ本体、金属製円筒パイプを適切に組み合わせることによりDC（直流）〜110GHzの広帯域に対応可能である。また金属製円筒パイプの曲げ角度は、ケーブルの最小曲げ径を維持しておれば、曲げ角度、曲げ方向、曲げ個所が自由に選択可能である。
また上記第１観点の同軸ケーブルアセンブリでは、フレキシブル高周波同軸ケーブルと同軸型コネクタとを接続する際、従来からの半田接続方式ではなく、螺旋状凹凸接合と接着剤を併用し、シェル先端部のフランジ内壁にケーブルの一体化外部導体先端面を突き当て、一体化外部導体およびシェルを機械的に固着させ電気的に接続した方式であるので、従来のような半田接続に起因する問題点が生じることはない。つまり、絶縁体が半田付け時の高温により熱変質したりして特性インピーダンスのミスマッチが生じ反射特性が劣化することはない。更に、ケーブルの接続先端部の内側金属箔と外側編組の外部導体は錫コートまたは半田コートにより一体化されているため、金属箔と編組とを段階的に剥離する必要が無く、金属箔の巻きが緩み加工性が悪化することがない。当然、外部から半田付け状態を確認する必要はなく、また金属箔と編組との間に介在された緩衝用の樹脂テープを特別に処理する必要もない。要するに、本発明の接続方式は、半田を取り扱う特殊な熟練技術を要しなくとも電気的特性の再現性が得られ、また錫コートの場合は、鉛フリーとなり環境に配慮した優れた接続構造と言える。
【０００５】
第２の観点として本発明は、中心導体の外周に順次、絶縁体、金属箔の螺旋巻きにより形成した内側の外部導体、編組により形成した外側の外部導体、好ましくは前記内側外部導体と外側外部導体の間に介在させた緩衝用の樹脂テープ、およびシースからなるフレキシブル高周波同軸ケーブルの先端部を加工し、金属製シェルを通して機械的・電気的に接続するための接続先端部を設け、この接続先端部を同軸コネクタ本体に挿入したフレキシブル高周波同軸ケーブルアセンブリであって、
前記高周波同軸ケーブルの接続先端部は、シースが剥離されて露出した外側外部導体と、この外側外部導体下の内側外部導体と、好ましくは前記内側外部導体と外側外部導体の間に介在させた緩衝用の樹脂テープとが錫コート（鉛フリー半田）または半田コート（鉛入り半田）により一体化されて一体化外部導体となった接続先端部とし、該接続先端部の先端要部は中心導体、絶縁体及び一体化外部導体がそれぞれ、もしくは絶縁体と一体化外部導体を面一として順次露出するよう段差加工され、また一体化外部導体の外周表面は未加工のままで段差加工接続先端部とし、また末加工の一体化外部導体の外周表面のみに接着剤が塗布され、先端部が内側に向かって延設されたフランジを有し且つ内面に突起を備え、好ましくはフランジに向かって先細りとなるテーパー付きの穴を有する金属製シェルを用い、フランジ内壁に前記段差加工接続先端部の一体化外部導体の先端面が突き当たるまで圧入され、フランジ内壁と先端面の突き当たり圧着部を電気的接続部とし、前記塗布された接着剤が硬化され、前記段差加工接続先端部および金属製シェルが機械的に固着され、電気的に接続されたケーブル装着シェル体とし、同軸コネクタ本体に装着され、また前記フレキシブル高周波同軸ケーブルの外周には、任意長さでクランプの役割も成す金属製円筒パイプが被せられ、該金属製円筒パイプは同軸コネクタ本体にねじ込み固着され、更に金属製円筒パイプは同軸コネクタ本体近傍で所要角度（アングル）に曲げ加工が施されてアングル部が設けられ、金属製円筒パイプと共に内部のフレキシブル高周波同軸ケーブルを湾曲させていることを特長とするアングル型フレキシブル高周波同軸ケーブルアセンブリにある。
上記第２観点の同軸ケーブルアセンブリでは、上記第１観点の同軸ケーブルアセンブリと同様の作用・効果を奏する。なお、上記第２観点の同軸ケーブルアセンブリにおいて、前記段差加工接続先端部の一体化外部導体の外周表面には、シェルの突起に対応する受けを設けると、一体化外部導体と金属製シェルとの機械的固着および電気的接続がより良好となり好ましい。
【０００６】
第３の観点として本発明は、前記金属製円筒パイプは、パイプ内径＝シース外径＋（０．１〜０．５）mm、パイプ厚さ＝０．２〜１．５mmであるアングル型フレキシブル高周波同軸ケーブルアセンブリにある。
上記第３観点の同軸ケーブルアセンブリでは、金属製円筒パイプの曲げ加工時にアングル部位が多少潰れてもフレキシブル高周波同軸ケーブルにストレスが及ばないよう、ケーブルのシース外径とパイプ内径の間にクリアランス（余裕）を設けているものである。また金属製円筒パイプの厚さが１．５mmを超えて厚いと、曲げにくくなり、重くなり、ハンドリング性能が落ちるので好ましくなく、また金属製円筒パイプの厚さが０．２mm未満で薄いとアングル時にパイプが潰れるので好ましくないためである。
【０００７】
第４の観点として本発明は、前記同軸コネクタ本体が、プラグタイプの同軸コネクタ本体、ジャックタイプの同軸コネクタ本体、または中心コンタクト繋ぎ替えプラグタイプの同軸コネクタ本体であることを特徴とするアングル型フレキシブル高周波同軸ケーブルアセンブリにある。
上記第４観点の同軸ケーブルアセンブリでは、前記同軸型コネクタ本体として、プラグタイプの同軸型コネクタ本体、ジャックタイプの同軸型コネクタ本体、または中心コンタクト繋ぎ替えプラグタイプの同軸型コネクタ本体を用い、これらのコネクタ本体に前記ケーブル装着シェル体を挿入し、クランプの役割も成す金属製円筒パイプにて締め付け固定することにより優れた電気的特性を有し、且つ多彩なシリーズ化が可能な同軸ケーブルアセンブリとすることができる。
【０００８】
第５の観点として本発明は、前記曲げ加工後の金属製円筒パイプの端部（同軸コネクタ本体接続端部と逆側）とフレキシブル高周波同軸ケーブルとの段差箇所には、１枚以上の熱収縮チューブが段階的に装着されていることを特徴とするアングル型フレキシブル高周波同軸ケーブルアセンブリにある。
上記第５観点の同軸ケーブルアセンブリでは、曲げ加工後の金属製円筒パイプ端部とケーブル部との段差箇所には、１枚以上の熱収縮チューブが段階的に装着されているので、円筒パイプの端部近辺のケーブルの補強がされ、耐屈曲性能が格段に向上するので好ましい。
【０００９】
第６の観点として本発明は、前記金属製円筒パイプが被せられていない部分のフレキシブル高周波同軸ケーブルには、ケーブル部の全面ないし部分的にケーブルの最小曲げ径を規制できる金属製あるいは樹脂製のアーマー（保護外装）が装着されていることを特徴とするアングル型フレキシブル高周波同軸ケーブルアセンブリにある。
上記第６観点の同軸ケーブルアセンブリでは、ケーブル部の全面ないし部分的にケーブルの最小曲げ径を規制できる金属製あるいは樹脂製のアーマーが装着されているので、ケーブルの最小曲げ径が規制でき、ケーブルを保護することが出来るので好ましい。
【００１０】
第７の観点として本発明は、前記第1、２、３、４、５または６いずれか１観点記載のアングル型フレキシブル高周波同軸ケーブルアセンブリのフレキシブル高周波同軸ケーブルの他端には、任意の同軸コネクタが接続されていることを特徴とするアングル型フレキシブル高周波同軸ケーブルアセンブリにある。
上記第７観点の同軸ケーブルアセンブリでは、情報通信機器類等に使用する場合、更に好適となる。なお片端末ごとに異種規格コネクタを接続することも可能である。
【００１１】
第８の観点として本発明は、前記第1、２、３、４、５または６いずれか１観点記載のアングル型フレキシブル高周波同軸ケーブルアセンブリのフレキシブル高周波同軸ケーブルの他端には、前記第1、２、３、４、５または６いずれか１観点記載の同軸ケーブルアセンブリが接続されるとともに、両アングル部は同方向または異方向に湾曲されていることを特徴とするアングル型フレキシブル高周波同軸ケーブルアセンブリ（以下、同軸ケーブルアセンブリと略記する）にある。
上記第８観点の同軸ケーブルアセンブリでは、高周波機器類の内外部に使用する場合、両アングル部は同方向または異方向に２次元、３次元的に湾曲されているので更に好適となる。
【発明の効果】
【００１２】
本発明の同軸ケーブルアセンブリによれば、従来のＬ型同軸ケーブルアセンブリに見られるＬ型同軸コネクタと同軸ケーブルとの物理的な接続部（電気的不連続面になる）や局所的なアングル部が無く、特性インピーダンスが乱れず、伝送特性（反射特性や挿入損失特性など）に優れたものとなる。また同軸ケーブルサイズ、同軸コネクタ本体、金属製円筒パイプを適切に組み合わせることによりDC〜110GHzの広帯域に対応可能である。またフレキシブル高周波同軸ケーブルと同軸型コネクタとの接続が特定の接続方式なので、半田接続に起因する不具合点が解消される。また同軸コネクタ本体として、プラグタイプ、ジャックタイプ、または中心コンタクト繋ぎ替えプラグタイプの同軸コネクタ本体を用いた場合は、多彩なシリーズ化が可能な同軸ケーブルアセンブリとすることができる。また曲げ加工後の金属製円筒パイプ端部とケーブル部との段差箇所に１枚以上の熱収縮チューブを段階的に装着した場合は、円筒パイプの端部近辺のケーブルの補強がされ、耐屈曲性能が格段に向上する。またケーブル部の全面ないし部分的にケーブルの最小曲げ径を規制できる金属製あるいは樹脂製のアーマーを装着した場合は、ケーブルの最小曲げ径が規制でき、ケーブルを保護することが出来る。また本発明の同軸ケーブルアセンブリのフレキシブル高周波同軸ケーブルの他端に任意の同軸コネクタを接続した場合や、本発明の同軸ケーブルアセンブリの２つを、両アングル部を同方向または異方向に湾曲して接続した場合は、高周波機器類の内外部に使用する場合、更に好適となる。
従って、本発明は産業上に寄与する効果が極めて大である。
【発明を実施するための最良の形態】
【００１３】
以下、本発明の内容を、図に示す実施の形態（実施例）により更に詳細に説明する。なお、これにより本発明が限定されるものではない。
図１は、本発明に係る同軸ケーブルアセンブリにおいて、フレキシブル高周波同軸ケーブルおよび接続先端部を説明するための略図であり、左方部は段差・螺旋状凹凸加工接続先端部の構成、また右方部はケーブルの構成を示す。図２は、本発明に係る同軸ケーブルアセンブリにおいて、段差・螺旋状凹凸加工接続先端部を設けたフレキシブル高周波同軸ケーブルを金属製シェルに装着したケーブル装着シェル体を示す要部縦断面図である。図３は、本発明に係る同軸ケーブルアセンブリにおいて、図２のケーブル装着シェル体をプラグタイプの同軸型コネクタに挿入し、金属製円筒パイプをねじ込み固着した状態のフレキシブル高周波同軸ケーブルアセンブリ中間体を示す要部縦断面図である。図４は、図３の同軸ケーブルアセンブリ中間体の金属製円筒パイプを略９０度曲げてアングル部を設けた本発明のアングル型フレキシブル高周波同軸ケーブルアセンブリの第１実施例である。図５は本発明の同軸ケーブルアセンブリの第2実施例であり、図４の本発明の同軸ケーブルアセンブリにおいて、金属製円筒パイプ端部とフレキシブル高周波同軸ケーブルとの段差箇所に３枚の熱収縮チューブを段階的に装着し、補強加工を施した状態を示す要部縦断面図である。図６は本発明の同軸ケーブルアセンブリの第３実施例であり、図２に示すケーブル装着シェル体とジャックタイプの同軸型コネクタとの接続構造を有する同軸ケーブルアセンブリを示す要部縦断面図である（アングル部以降は図４と同様なので示さず）。図７は本発明の同軸ケーブルアセンブリの第４実施例であり、図２に示すケーブル装着シェル体と中心コンタクト繋ぎ替えプラグタイプの同軸型コネクタとの接続構造を有する同軸ケーブルアセンブリを示す要部縦断面図である（アングル部以降は図４と同様なので示さず）。図８は本発明の同軸ケーブルアセンブリの第５実施例を示す略図であり、図５の同軸ケーブルアセンブリと任意の同軸コネクタとを接続したもの（片端湾曲品）である。図９は本発明の同軸ケーブルアセンブリの第６実施例を示す略図であり、図５の同軸ケーブルアセンブリの２つを、アングル部の曲げ方向を同方向に接続したもの（両端同方向湾曲品）である。図１０は本発明の同軸ケーブルアセンブリの第７実施例を示す略図であり、図５の同軸ケーブルアセンブリの２つを、アングル部の曲げ方向を異方向に接続したもの（両端異方向湾曲品）である。図１１は、第１実施例の同軸ケーブルアセンブリ完成品（ケーブル種別67GHz
type）（アングル後）の伝送特性チャートである。図１２は、第１実施例の同軸ケーブルアセンブリ（中間体）（ケーブル種別67GHz
type）（アングル前）の伝送特性チャートである。また図１３は、第１実施例の同軸ケーブルアセンブリ完成品（ケーブル種別67GHz
type）（アングル後）の伝送特性チャートと同軸ケーブルアセンブリ（中間体）（ケーブル種別67GHz
type）（アングル前）の伝送特性チャートを重ね合わせた伝送特性チャートである。
【００１４】
これらの図において、１は中心導体、２は絶縁体、３は一体化外部導体（錫コートまたは半田コート）、４は螺旋状凹凸加工面、５は接着剤、６は金属箔の螺旋巻き外部導体（内側外部導体）、７は緩衝用の樹脂テープ、８は編組外部導体（外側外部導体）、９はシース、１０はフレキシブル高周波同軸ケーブル（ケーブル部）、１０ａは接続先端部（段差・螺旋状凹凸加工接続先端部）、１１は金属製シェル、１１ａはケーブル装着シェル体、１２は金属製円筒パイプ（円筒パイプ部）、１５はカップリングナット、１６はガスケット、１７はリティニングリング、１８はプラグタイプの同軸型コネクタ本体、２０は実施例１のアングル型フレキシブル高周波同軸ケーブルアセンブリ（熱収縮チューブなし）、２０aは実施例１のフレキシブル高周波同軸ケーブルアセンブリ（中間体）、２０ｔは実施例２のアングル型フレキシブル高周波同軸ケーブルアセンブリ（熱収縮チューブあり）、３０は実施例３のアングル型フレキシブル高周波同軸ケーブルアセンブリ（ジャックタイプの同軸型コネクタとのアセンブリ）、３１はジャックタイプ変換部を備えたジャックコネクタ本体、３２はジャックタイプ変換部、４０は実施例４のアングル型フレキシブル高周波同軸ケーブルアセンブリ（中心コンタクト繋ぎ替えプラグタイプの同軸型コネクタとのアセンブリ）、４１は中心コンタクト繋ぎ替え部を備えたプラグコネクタ本体、４２は中心コンタクト繋ぎ替え部、５０は実施例５のアングル型フレキシブル高周波同軸ケーブルアセンブリ（片端湾曲品）、６０は実施例６のアングル型フレキシブル高周波同軸ケーブルアセンブリ（両端同方向湾曲品）、７０は実施例７のアングル型フレキシブル高周波同軸ケーブルアセンブリ（両端異方向湾曲品）、９０は任意の同軸コネクタ、ａはシース外径、ｂはパイプ内径、ｃはパイプ外径、ｄはパイプ厚さ、ｅはアングル部、ｆはフランジ、gは一体化外部導体先端面、ｈは中心導体嵌合部、ｉは相手側中心コンタクト嵌合部、ｊはねじ山部、kは中心コンタクトピン、またｔ１，ｔ２，ｔ３は熱収縮チューブである。
【実施例１】
【００１５】
本発明の同軸ケーブルアセンブリの第１実施例について図１〜３を用いて説明する。
本発明の同軸ケーブルアセンブリに用いるフレキシブル高周波同軸ケーブル１０は、図１の右部に示すように、例えば銀メッキ銅被覆鋼線よりなる中心導体１の外周に順次、多孔質PTFE樹脂（四フッ化エチレン樹脂）よりなる絶縁体２、金属箔の螺旋巻きにより形成した内側の外部導体６、緩衝用の樹脂テープ７、編組により形成した外側の外部導体８およびシース９からなる。
先ず前記同軸ケーブル１０の接続先端部を形成するため、図１の左部に示すように、シース９を剥離して外側外部導体８を露出した。次いで、内側外部導体６と、外側外部導体８と、内側外部導体６と外側外部導体８との間に介在された緩衝用樹脂テープ７とを錫コートにより一体化して一体化外部導体３とした。次いで、中心導体１および絶縁体２が順次露出するよう段差剥離し、一体化外部導体３表面には専用ねじ切りダイス（Groove Dice）を用いた粗雄ねじ加工（Spiral Groove加工）を施して螺旋状凹凸加工面４を設けて段差・螺旋状凹凸加工接続先端部１０ａとし、更に螺旋状凹凸加工面４の要部には接着剤５を塗布した。前記接着剤５としては、エポキシ系接着剤、例えば、エポキシ・テクノロジー社（ビレリカ.マサチューセッツ）によって「EPO-TEK
353ND」の商品名で市販されている非導電性２液型接着剤などが好ましい。なお、接着剤５は一体化外部導体３の先端面（フランジの内壁に突き当てる面）付近には塗布しなかった。
【００１６】
続いて図２に示すように、先端部が内側に向かって延設されたフランジfを有し且つ内面に螺旋状凹凸加工がなされた金属製シェル１１に、前記接着剤が塗布された段差・螺旋状凹凸加工接続先端部１０ａを、前記フランジfの内壁に一体化外部導体３の先端面gが突き当たり圧着されるまで回転挿入し、フランジf内壁と先端面gの突き当たり圧着部を電気的接続部とした。続いて、塗布された接着剤５を70℃×60分の硬化条件で硬化し、前記加工接続先端部１０ａと金属製シェル１１を機械的に固着してケーブル装着シェル体１１ａとした。なお、前記ケーブル装着シェル体１１ａのケーブル部１０には金属製円筒パイプ１２を予め装着しておいた（図示せず）。
【００１７】
次いで、図３に示すように、ケーブル装着シェル体１１ａは、カップリングナット１５、リティニングリング１７、ガスケット１６を備えたコネクタ本体１８に挿入し、金属製円筒パイプ１２にてきつく締め付け固定して同軸ケーブルアセンブリ（中間体）２０ａとした。
次いで、図４に示すように、同軸ケーブルアセンブリ（中間体）２０ａの金属製円筒パイプ１２を同軸コネクタ本体近傍で専用パイプベンダー（図示せず）にて略９０度に曲げ加工を施してアングル部eを設け、金属製円筒パイプ１２と共に内部の同軸ケーブル１０を湾曲させてアングル型フレキシブル高周波同軸ケーブルアセンブリ２０を完成させた。
前記同軸ケーブルアセンブリ２０において、ケーブル種別と金属製円筒パイプのサイズの４例を下記表１に示す。なお、パイプの選定に当たっては、パイプ内径（b）＝シース外径（a）＋（０．１〜０．５）mm（クリアランス＝b−a＝０．１〜０．５mm）、パイプ厚さ（d）＝（パイプ外径（c）‐パイプ内径（b））／２＝０．２〜１．５mmを推称値としている。
【００１８】
【表１】
2006228538.tif 000003
【００１９】
―伝送特性試験―
上記表１のケーブル種別が67GHz typeで1000mm品の同軸ケーブルアセンブリについて伝送特性試験を行った。その試験方法としては、同軸ケーブルアセンブリ完成品（アングル後）と同軸ケーブルアセンブリ中間体（アングル前）をベクトル・ネットワーク・アナライザのport１およびport２にそれぞれ接続し、伝送特性(挿入損失特性および反射特性（VSWR値）)を試験した。その結果を図１１、図１２に示す。また同軸ケーブルアセンブリ完成品の伝送特性チャートと同軸ケーブルアセンブリ中間体の伝送特性チャートを重ね合わせたチャートを図１３に示す。
図１１の伝送特性チャートから明らかなように、本発明の同軸ケーブルアセンブリはDC（直流）〜65GHzの高周波帯域において、挿入損失は小さく且つ安定しており、また反射特性はVSWR1.2以下を確保しており、優れた伝送特性を有していた。また図１３の重ね合わせたチャートから明らかなように、本発明の同軸ケーブルアセンブリはアングル前後で特性変動が無かった。なお図１１〜１３の伝送特性チャートにおいて、縦軸は減衰量（Loss）(db)又は電圧定在波比（0.1U/div）、横軸は周波数(Hz)である。また上方の曲線は挿入損失特性、下方の波形線は反射特性である。
【００２０】
また、実施例１では銀メッキ銅被覆鋼線を中心導体１とし、多孔質PTFE樹脂を絶縁体２とするケーブルを用いているが、これ以外の材質からなるケーブルにも適用可能である。また、外部導体の金属箔６は螺旋巻き以外に縦添えでもよく、また緩衝用の樹脂テープ７が介在されないケーブルにも適用できる。また、ケーブルの接続先端部の一体化には錫コートの替わりに従来通り半田コート（鉛入り半田）も適用できる。また接続先端部の段差加工は、絶縁体２の先端面と一体化外部導体３の先端面を面一にしても良い。
なお、上記螺旋状凹凸接合のみでも金属製シェル１１先端部のフランジf内壁にケーブルの外部導体先端面が圧着するため、良好な伝送特性は得られるが、機械的強度を確保する意味で接着剤は必要である。また上記エポキシ系接着剤「EPO-TEK
353ND」の硬化条件は、70℃×60分の他150℃×1分、60℃×90分が選択可能である。むろん接着剤には「EPO-TEK 353ND」以外の、これと同等性能以上の機械的強度や耐環境性を有するエポキシ系接着剤（２液タイプの他、１液タイプや導電性タイプ）、その他の接着剤を用いても何ら問題はない。ただし、導電タイプは非導電タイプに比べ一般的に接着強度は劣るうえに、本発明の接着箇所は導電性能を必要としない。
【実施例２】
【００２１】
本発明の同軸ケーブルアセンブリの第２実施例について図５を用いて説明する。
上記実施例１で得られた同軸ケーブルアセンブリ２０に、円筒パイプ部１２とこれに隣接するケーブル部１０の段差箇所には、耐屈曲特性を考慮し双方に跨る３枚の熱収縮チューブｔ１（１層目），ｔ２（２層目），ｔ３（３層目）を段階的に装着し、その他は上記実施例１と同様にして同軸ケーブルアセンブリ２０ｔを完成させた。上記熱収縮チューブとしては、例えば１層目に電子線架橋軟質ポリオレフィン樹脂のスミチューブ（住友電工社商品名）を用い、２、３層目にオレフィン系、ゴム系、塩ビ系、フッ素系の何れかを用いる。なお、ゴム系のものを用いると耐屈曲性能は増すが、被覆が厚くなる傾向にある。
本実施例の同軸ケーブルアセンブリ２０ｔでは、円筒パイプ部１２に隣接するケーブル部１０の補強がされ、耐屈曲性能が格段に向上した。
【実施例３】
【００２２】
本発明の同軸ケーブルアセンブリの第３実施例について図６を用いて説明する。なお図６において、アングル部ｅ以降は図４と同様なので図示していない。
本実施例３は、フレキシブル高周波同軸ケーブルとジャックタイプの同軸型コネクタとの接続構造を有する同軸ケーブルアセンブリである。上述の実施例１、２のプラグタイプに対してジャックタイプは、図２に示すケーブル装着シェル体１１ａを、片側に中心導体１の嵌合部hを備え、別の片側に相手側プラグコネクタの中心コンタクトの嵌合部iを有するジャックタイプ変換部３２をコネクタ本体中に備えたジャックコネクタ本体3１に挿入し、金属製円筒パイプ１２にてきつく締め付け固定した構造である。そして、ジャックコネクタ本体３１の片端に施されたねじ山部jにより、相手側プラグコネクタのカップリングナット（図示せず）とねじ嵌合できる構造である。また本実施例では、金属製円筒パイプ１２は上記実施例１と同様のものを用いており、実施例１と同様、ジャックタイプの同軸コネクタ本体３１近傍で専用パイプベンダー（図示せず）にて略９０度に曲げ加工を施してアングル部e（図示せず）を設け、ジャックタイプのアングル型フレキシブル高周波同軸ケーブルアセンブリ３０を完成させた。なお前記同軸ケーブルアセンブリ３０は、ケーブル接続先端部の加工方法や金属製シェルとの接続方法、金属製シェルの各部材が実施例１、２の標準プラグタイプと共通化されている。
【実施例４】
【００２３】
本発明の同軸ケーブルアセンブリの第４実施例について図７を用いて説明する。なお図７において、アングル部ｅ以降は図４と同様なので図示していない。
本実施例４は、フレキシブル高周波同軸ケーブルと中心コンタクト繋ぎ替えプラグタイプの同軸型コネクタとの接続構造を有する同軸ケーブルアセンブリである。上述の実施例１、２のプラグタイプに対して本プラグタイプは、図２に示すケーブル装着シェル体１１ａを、片側に中心導体１の嵌合孔hを備え、別の片側に中心コンタクトピンkを有する中心コンタクト繋ぎ替え部４２を備えたコネクタ本体４１に挿入し、金属製円筒パイプ１２にてきつく締め付け固定した構造である。なお、前記中心コンタクト繋ぎ替え部４２以外の構造は、上記実施例１のコネクタ本体１８と同様である。また本実施例では、金属製円筒パイプ１２は上記実施例１と同様のものを用いており、実施例１と同様、中心コンタクト繋ぎ替えプラグタイプの同軸コネクタ本体４１近傍で専用パイプベンダー（図示せず）にて略９０度に曲げ加工を施してアングル部e（図示せず）を設け、中心コンタクト繋ぎ替えプラグタイプのアングル型フレキシブル高周波同軸ケーブルアセンブリ４０を完成させた。なお前記同軸ケーブルアセンブリ４０は、ケーブル接続先端部の加工方法や金属製シェルとの接続方法、金属製シェルの各部材が実施例１、２の標準プラグタイプと共通化されている。
【実施例５】
【００２４】
本発明の同軸ケーブルアセンブリの第５実施例について図８を用いて説明する。
上述の実施例２のアングル型フレキシブル高周波同軸ケーブルアセンブリ（熱収縮チューブあり）２０ｔのケーブル部１０にプラグタイプの同軸コネクタ９０を接続し、アングル型フレキシブル高周波同軸ケーブルアセンブリ（片端湾曲品）５０を製造した。
【実施例６】
【００２５】
本発明の同軸ケーブルアセンブリの第6実施例について図９を用いて説明する。
上述の実施例２の同軸ケーブルアセンブリ２０ｔの2つを、アングル部eの曲げ方向を同方向にして接続し、アングル型フレキシブル高周波同軸ケーブルアセンブリ（両端同方向湾曲品）６０を製造した。
【実施例７】
【００２６】
本発明の同軸ケーブルアセンブリの第7実施例について図１０を用いて説明する。
上述の実施例２の同軸ケーブルアセンブリ２０ｔの2つを、アングル部eの曲げ方向を反対方向に接続し、アングル型フレキシブル高周波同軸ケーブルアセンブリ（両端異方向湾曲品）７０を製造した。
【００２７】
−その他の実施の形態（実施例）−
その他の実施例として、特に図示はしないが、前記図２において、シェル内面の螺旋状凹凸処理の代わりに突起を備えたテーパー付きの穴を有する金属製シェルを用い、これに、末加工の一体化外部導体に接着剤を塗布した一体化接続先端部を圧入して固着させ電気的に接続した螺旋状凹凸接合以外の接続方法を適用した同軸ケーブルアセンブリとすることも可能である。なお、ケーブルの一体化外部導体表面には、シェル内面の突起に対応する受けを設けても良い。また、接着剤を塗布した接続先端部を金属製シェルの穴に挿入し、フランジの内壁に一体化外部導体先端面を突き当てた状態で、ケーブルとシェルとを固定治具にて圧着させたり、シェルの後端でケーブル（一体化外部導体部）を補助的に半田で仮止めしたり、シェルの後端をケーブルの特性インピーダンスが劣化しない程度にカシメ、固定しても良い。なお、接着剤は一体化外部導体の先端面（フランジの内壁に突き当てる面）には塗布しないものとする。またケーブル部には、ケーブルの最小曲げ径を規制できる金属製あるいは樹脂製のアーマー（保護外装、例えば可撓管、蛇腹等）を、ケーブル部の全面ないし部分的に装着しても良い。また、アーマー表面やケーブル部との段差箇所には、必要に応じ１枚以上の熱収縮チューブを装着しても良い。
【００２８】
上記実施例１〜７、或はその他の実施例により得られた本発明の同軸ケーブルアセンブリによれば、従来のＬ型同軸ケーブルアセンブリに見られるＬ型同軸コネクタと同軸ケーブルとの物理的な接続部（電気的不連続面になる）や、局所的なアングル部が無く、特性インピーダンスが乱れず、伝送特性（反射特性や挿入損失特性など）に優れたものとなった。またフレキシブル高周波同軸ケーブルと同軸型コネクタとの接続構造に特定の構造を用いているので、半田接続に起因する不具合点が解消された。また曲げ加工後の金属製円筒パイプ端部とケーブル部との段差箇所に３枚の熱収縮チューブを段階的に装着した場合は、円筒パイプの端部近辺のケーブルの補強がされ、耐屈曲性能が格段に向上した。
【産業上の利用可能性】
【００２９】
本発明の同軸ケーブルアセンブリによれば、DC〜110GHz迄の広帯域に使用可能なアングル型フレキシブル高周波同軸ケーブルアセンブリとして各種の高周波機器類に使用できるので好適である。
【図面の簡単な説明】
【００３０】
【図１】本発明に係る同軸ケーブルアセンブリにおいて、フレキシブル高周波同軸ケーブルおよび接続先端部を説明するための略図であり、左方部は段差・螺旋状凹凸加工接続先端部の構成、また右方部はケーブルの構成を示す。
【図２】本発明に係る同軸ケーブルアセンブリにおいて、段差・螺旋状凹凸加工接続先端部を設けたフレキシブル高周波同軸ケーブルを金属製シェルに装着したケーブル装着シェル体を示す要部縦断面図である。
【図３】本発明に係る同軸ケーブルアセンブリにおいて、図２のケーブル装着シェル体をプラグタイプの同軸型コネクタに挿入し、金属製円筒パイプをねじ込み固着した状態のフレキシブル高周波同軸ケーブルアセンブリ中間体を示す要部縦断面図である。
【図４】図３の同軸ケーブルアセンブリ中間体の金属製円筒パイプを略９０度曲げてアングル部を設けた本発明のアングル型フレキシブル高周波同軸ケーブルアセンブリの第１実施例である。
【図５】本発明の同軸ケーブルアセンブリの第２実施例であり、図４の本発明の同軸ケーブルアセンブリにおいて、金属製円筒パイプ端部とフレキシブル高周波同軸ケーブルとの段差箇所に３枚の熱収縮チューブを段階的に装着し、補強加工を施した状態を示す要部縦断面図である。
【図６】本発明の同軸ケーブルアセンブリの第３実施例であり、図２に示すケーブル装着シェル体とジャックタイプの同軸型コネクタとの接続構造を有する同軸ケーブルアセンブリを示す要部縦断面図である（アングル部以降は図４と同様なので示さず）。
【図７】本発明の同軸ケーブルアセンブリの第４実施例であり、図２に示すケーブル装着シェル体と中心コンタクト繋ぎ替えプラグタイプの同軸型コネクタとの接続構造を有する同軸ケーブルアセンブリを示す要部縦断面図である（アングル部以降は図４と同様なので示さず）。
【図８】本発明の同軸ケーブルアセンブリの第５実施例を示す略図であり、図５の同軸ケーブルアセンブリと任意の同軸コネクタとを接続したもの（片端湾曲品）である。
【図９】図９は本発明の同軸ケーブルアセンブリの第６実施例を示す略図であり、図５の同軸ケーブルアセンブリの２つを、アングル部の曲げ方向を同方向に接続したもの（両端同方向湾曲品）である。
【図１０】本発明の同軸ケーブルアセンブリの第７実施例を示す略図であり、図５の同軸ケーブルアセンブリの２つを、アングル部の曲げ方向を異方向に接続したもの（両端異方向湾曲品）である。
【図１１】第１実施例の同軸ケーブルアセンブリ完成品（ケーブル種別67GHz type）（アングル後）の伝送特性チャートである。
【図１２】第１実施例の同軸ケーブルアセンブリ中間体（ケーブル種別67GHz type）（アングル前）の伝送特性チャートである。
【図１３】第１実施例の同軸ケーブルアセンブリ完成品（ケーブル種別67GHz type）（アングル後）の伝送特性チャートと同軸ケーブルアセンブリ中間体（ケーブル種別67GHz type）（アングル前）の伝送特性チャートを重ね合わせた伝送特性チャートである。
【図１４】従来例に係るＬ型同軸ケーブルアセンブリ（Ｌ型同軸コネクタ）を説明するための略図で、同図(a)は特許文献１の発明のＬ型同軸コネクタの一実施例を示す半断面図、また同図(b)は特許文献２の発明のＬ型同軸コネクタの構成を示す説明図である。
【図１５】従来例に係る同軸ケーブルとプラグタイプの同軸型コネクタとの接続構造を説明するための略図で、同図（ａ）は接続構造の縦断面図、同図（ｂ）は接続先端部を設けた同軸ケーブルの斜視図、また同図（ｃ）、（ｄ）は、それぞれシェルの側面図と平面図である。
【符号の説明】
【００３１】
１    中心導体
２    絶縁体
３    一体化外部導体（錫コートまたは半田コート）
４    螺旋状凹凸加工面
５    接着剤
６    金属箔の螺旋巻き外部導体（内側外部導体）
７    緩衝用の樹脂テープ
８    編組外部導体（外側外部導体）
９    シース
１０    フレキシブル高周波同軸ケーブル（ケーブル部）
１０ａ    接続先端部（段差・螺旋状凹凸加工接続先端部）
１１    金属製シェル
１１ａ    ケーブル装着シェル体
１２    金属製円筒パイプ（パイプ部）
１５    カップリングナット
１６    ガスケット
１７    リティニングリング
１８    プラグタイプの同軸型コネクタ本体
２０    実施例１のアングル型フレキシブル高周波同軸ケーブルアセンブリ（熱収縮チューブなし）
２０a    実施例１のフレキシブル高周波同軸ケーブルアセンブリ中間体
２０ｔ    実施例２のアングル型フレキシブル高周波同軸ケーブルアセンブリ（熱収縮チューブあり）
３０    実施例３のアングル型フレキシブル高周波同軸ケーブルアセンブリ（ジャックタイプのアングル型フレキシブル高周波同軸ケーブルアセンブリ）
３１    ジャックタイプ変換部を備えたジャックコネクタ本体
３２    ジャックタイプ変換部
４０    実施例４のアングル型フレキシブル高周波同軸ケーブルアセンブリ（中心コンタクト繋ぎ替えプラグタイプのアングル型フレキシブル高周波同軸ケーブルアセンブリ）
４１    中心コンタクト繋ぎ替え部を備えたプラグコネクタ本体
４２    中心コンタクト繋ぎ替え部
５０    実施例５のアングル型フレキシブル高周波同軸ケーブルアセンブリ（片端湾曲品）
６０実施例６のアングル型フレキシブル高周波同軸ケーブルアセンブリ（両端同方向湾曲品）
７０    実施例７のアングル型フレキシブル高周波同軸ケーブルアセンブリ（両端異方向湾曲品）
９０    任意の同軸コネクタ
ａ    シース外径
ｂ    パイプ内径
ｃ    パイプ外径
ｄ    パイプ厚さ
ｅ  アングル部
ｆ    フランジ
ｇ    一体化外部導体先端面
ｈ    中心導体嵌合部
ｉ    相手側中心コンタクト嵌合部
ｊ    ねじ山部
ｋ    中心コンタクトピン
ｔ１，ｔ２，ｔ３    熱収縮チューブ
【図１】
2006228538.tif 000004
【図２】
2006228538.tif 000005
【図３】
2006228538.tif 000006
【図４】
2006228538.tif 000007
【図５】
2006228538.tif 000008
【図６】
2006228538.tif 000009
【図７】
2006228538.tif 000010
【図８】
2006228538.tif 000011
【図９】
2006228538.tif 000012
【図１０】
2006228538.tif 000013
【図１１】
2006228538.tif 000014
【図１２】
2006228538.tif 000015
【図１３】
2006228538.tif 000016
【図１４】
2006228538.tif 000017
【図１５】
2006228538.tif 000018